Podtech/llm-jp-corpus-v4-ja_patent huggingface dataset:
【手続補正書】
【提出日】平成24年3月8日(2012.3.8)
【手続補正１】
【補正対象書類名】特許請求の範囲
【補正対象項目名】請求項８
【補正方法】変更
【補正の内容】
【請求項８】
Ｒ1が、Ｈ；無置換の又は、適当なら、Ｆ、Ｃｌ、Ｂｒ、Ｉ、−ＮＯ2、および−ＣＮからなる群から相互に独立して選ばれる１、２、３、４または５個の置換基で置換された、メチル、エチル、ｎ−プロピル、イソプロピル、ｎ−ブチル、２−ブチル、イソブチル、ｔｅｒｔ−ブチル、ｎ−ペンチル、およびｎ−ヘキシルからなる群から選ばれるアルキル基；または無置換の又はＦ、Ｃｌ、Ｂｒ、Ｉ、−ＣＮ、−ＮＯ2、メチル、エチル、ｎ−プロピル、イソプロピル、ｎ−ブチル、イソブチル、２−ブチル、ｔｅｒｔ−ブチル、−Ｏ−ＣＨ3、−Ｏ−Ｃ2Ｈ5、−Ｏ−Ｃ3Ｈ7、−Ｏ−Ｃ（ＣＨ3）3、−ＣＦ3、−ＣＨＦ2、および−ＣＨ2Ｆからなる群から相互に独立して選ばれる１、２、３、４または５置換基により置換されたフェニルまたはベンジル基であり；
Ｒ2は、無置換の又は、適当なら、Ｆ、Ｃｌ、Ｂｒ、Ｉ、−ＮＯ2、および−ＣＮからなる群から相互に独立して選ばれる１、２または３置換基で置換されたＣ1-5−アルケニレン基であり；
Ｒ3は、−Ｏ−Ｒ6；−Ｃ（＝Ｏ）−Ｒ7；Ｈ；無置換の又は適当なら、Ｆ、Ｃｌ、Ｂｒ、Ｉ、−ＮＯ2、および−ＣＮからなる群から相互に独立して選ばれる１、２、３、４または５置換基で置換された、メチル、エチル、ｎ−プロピル、イソプロピル、ｎ−ブチル、２−ブチル、イソブチル、ｔｅｒｔ−ブチル、ｎ−ペンチル、およびｎ−ヘキシルからなる群から選ばれアルキル基であり；
Ｒ4は、−Ｏ−Ｒ8；−Ｃ（＝Ｏ）−Ｒ9；Ｈ；無置換の又は、適当なら、Ｆ、Ｃｌ、Ｂｒ、Ｉ、−ＮＯ2、および−ＣＮからなる群から相互に独立して選ばれる１、２、３、４または５置換基で置換された、メチル、エチル、ｎ−プロピル、イソプロピル、ｎ−ブチル、２−ブチル、イソブチル、ｔｅｒｔ−ブチル、ｎ−ペンチル、およびｎ−ヘキシルからなる群から選ばれるアルキル基であり；
Ｒ5は、−Ｏ−Ｒ10；−Ｃ（＝Ｏ）−Ｒ11；Ｈ；無置換の又は、適当なら、Ｆ、Ｃｌ、Ｂｒ、Ｉ、−ＮＯ2、および−ＣＮからなる群から相互に独立して選ばれる１，２、３，４または５置換基で置換された、メチル、エチル、ｎ−プロピル、イソプロピル、ｎ−ブチル、２−ブチル、イソブチル、ｔｅｒｔ−ブチル、ｎ−ペンチル、およびｎ−ヘキシルからなる群から選ばれるアルキル基であり；
Ｒ6、Ｒ7、Ｒ8、Ｒ9、Ｒ10、およびＲ11は、それぞれ相互に独立して、Ｈまたは無置換の又は、Ｆ、Ｃｌ、Ｂｒ、Ｉ、−ＮＯ2、および−ＣＮからなる群から相互に独立して選ばれる１、２、３、４または５置換基で置換された、メチル、エチル、ｎ−プロピル、イソプロピル、ｎ−ブチル、２−ブチル、イソブチル、ｔｅｒｔ−ブチル、ｎ−ペンチル、およびｎ−ヘキシルからなる群から選ばれるアルキル基である、
請求項１〜７のいずれか一項に記載の塗料組成物。
【手続補正２】
【補正対象書類名】特許請求の範囲
【補正対象項目名】請求項９
【補正方法】変更
【補正の内容】
【請求項９】
Ｒ1が、Ｈ；メチル、エチル、ｎ−プロピル、イソプロピル、ｎ−ブチル、２−ブチル、イソブチル、ｔｅｒｔ−ブチル、ｎ−ペンチル、およびｎ−ヘキシルからなる群から選ばれる無置換アルキル基；
または無置換の又はＦ、Ｃｌ、Ｂｒ、およびメチルからなる群から相互に独立して選ばれる１，２、３，４または５個の置換基で置換されたフェニル基であり；
Ｒ2は、−（ＣＨ2）−、−（ＣＨ2）2−、−（ＣＨ2）3−、−（ＣＨ2）4−または−（ＣＨ2）5−；であり
Ｒ3は、−Ｏ−Ｒ6またはＨ；であり、
Ｒ4は、−Ｏ−Ｒ8またはＨであり；
Ｒ5は、−Ｏ−Ｒ10またはＨであり；
また
Ｒ6、Ｒ8、およびＲ10は、それぞれ相互に独立して、Ｈまたは、メチル、エチル、ｎ−プロピル、イソプロピル、ｎ−ブチル、２−ブチル、イソブチル、ｔｅｒｔ−ブチル、ｎ−ペンチル、およびｎ−ヘキシルからなる群から選ばれる無置換のアルキル基である
請求項１〜８のいずれか一項に記載の塗料組成物。
【手続補正書】
【提出日】平成24年3月15日(2012.3.15)
【手続補正１】
【補正対象書類名】特許請求の範囲
【補正対象項目名】全文
【補正方法】変更
【補正の内容】
【特許請求の範囲】
【請求項１】
ポリウレタンウレアが、ポリエチレンオキシドおよびポリプロピレンオキシドを含んでなるコポリマー単位で終端していることを特徴とする、少なくとも１種のポリウレタンウレアを含んでなる溶液状被覆組成物。
【請求項２】
ポリウレタンウレアが、少なくとも１種のヒドロキシル含有ポリカーボネートに由来する単位を含んでなることを特徴とする、請求項１に記載の被覆組成物。
【請求項３】
ポリウレタンウレアが、脂肪族または脂環式ポリイソシアネートに由来する単位を含んでなることを特徴とする、請求項１または２に記載の被覆組成物。
【請求項４】
ポリウレタンウレアが、少なくとも１種のポリオールに由来する単位を含んでなることを特徴とする、請求項１〜３のいずれかに記載の被覆組成物。
【請求項５】
ポリウレタンウレアが、少なくとも１種のジアミンまたはアミノアルコールに由来する単位を含んでなることを特徴とする、請求項１〜４のいずれかに記載の被覆組成物。
【請求項６】
ポリウレタンウレアが、更なるヒドロキシル含有合成成分および／またはアミノ含有合成成分に由来する単位を含んでなることを特徴とする、請求項１〜５のいずれかに記載の被覆組成物。
【請求項７】
ポリウレタンウレアが、以下の合成成分：
ａ）少なくとも１種のポリカーボネートポリオール；
ｂ）少なくとも１種のポリイソシアネート；
ｃ）少なくとも１種の単官能性ポリオキシアルキレンエーテル；および
ｄ）少なくとも１種のジアミンまたはアミノアルコール
から少なくとも構成されていることを特徴とする、請求項１〜６のいずれかに記載の被覆組成物。
【請求項８】
ポリウレタンウレアが、
ｅ）少なくとも１種のポリオール
を含んでなる合成成分を更に含んでなることを特徴とする、請求項７に記載の被覆組成物。
【請求項９】
ポリウレタンウレアが、以下の合成成分：
（ａ）４００ｇ／ｍｏｌ〜６０００ｇ／ｍｏｌの平均分子量および１．７〜２．３のヒドロキシル官能価を有する少なくとも１種のポリカーボネートポリオール、またはそのようなポリカーボネートポリオールの混合物；
（ｂ）ポリカーボネートポリオール１ｍｏｌにつき１．０〜３．５ｍｏｌの量の、少なくとも１種の脂肪族、脂環式または芳香族ポリイソシアネートまたはそのようなポリイソシアネートの混合物；
（ｃ）ポリカーボネートポリオール１ｍｏｌにつき０．０１〜０．５ｍｏｌの量の、５００ｇ／ｍｏｌ〜５０００ｇ／ｍｏｌの平均分子量を有する少なくとも１種の単官能性ポリオキシアルキレンエーテルまたはそのようなポリエーテルの混合物；
（ｄ）ポリカーボネートポリオール１ｍｏｌにつき０．１〜１．５ｍｏｌの量の、いわゆる連鎖延長剤としての、少なくとも１種の脂肪族または脂環式ジアミン或いは少なくとも１種のアミノアルコール或いはそのような化合物の混合物；および
（ｅ）必要に応じて、ポリカーボネートポリオール１ｍｏｌにつき０．０５〜１．０ｍｏｌの量の、６２ｇ／ｍｏｌ〜５００ｇ／ｍｏｌの分子量を有する１種以上の短鎖脂肪族ポリオール
から少なくとも構成されていることを特徴とする、請求項１〜８のいずれかに記載の被覆組成物。
【請求項１０】
以下の工程：
（Ｉ）ポリカーボネートポリオール、ポリイソシアネート、単官能性ポリオキシアルキレンエーテル、および必要に応じてポリオールを、全ヒドロキシル基が消費されるまで、溶融物中でまたは溶媒の存在下に溶液中で反応させる工程；
（ＩＩ）更なる溶媒を添加し、必要に応じて、溶解したジアミンまたは必要に応じて溶解したアミノアルコールを添加する工程；および
（ＩＩＩ）必要に応じて、目的粘度に達した後になお残留する残留ＮＣＯ基を単官能性脂肪族アミンによりブロックする工程、
を特徴とする、請求項１〜９のいずれかに記載のポリウレタンウレア溶液の製造方法。
【請求項１１】
溶媒が、Ｎ−エチルピロリドン、ジメチルホルムアミド、Ｎ−メチルアセトアミド、テトラメチルウレア、Ｎ−メチルピロリドン、γ−ブチロラクトン、芳香族溶媒、直鎖および環状の、エステル、エーテル、ケトン、アルコール、並びにそれらの混合物からなる群から選択されることを特徴とする、請求項１０に記載の方法。
【請求項１２】
ポリウレタン溶液の固形分が５〜６０重量％であることを特徴とする、請求項１０または１１に記載の方法。
【請求項１３】
請求項１０〜１２のいずれかに記載の方法によって得ることができる溶液状被覆組成物。
【請求項１４】
請求項１〜９または１３のいずれかに記載の被覆溶液の、少なくとも１種のメディカルデバイスを被覆するための使用。
【手続補正書】
【提出日】平成24年2月2日(2012.2.2)
【手続補正１】
【補正対象書類名】特許請求の範囲
【補正対象項目名】全文
【補正方法】変更
【補正の内容】
【特許請求の範囲】
【請求項１】
ディスペンサーハウジングおよび作動装置を有しており、液体カートリッジを受け入れる泡ディスペンサーにおける、分岐された、すなわち分離された、泡ポンプアセンブリの改良であって、
前記ハウジングによって受け入れられる環状カラーと、
前記カラーによって受け入れられる空気ピストンと、を含有しており、前記環状カラーおよび前記空気ピストンが、その間に空気チャンバを画定している、
前記ディスペンサーハウジングに取り付けられた空気圧縮器と、
前記液体カートリッジに接続されており、前記空気圧縮器部と分離可能に組み合っている液体ポンプ部であって、貯留カラー内において保持されるポンプシャフトを備えており、前記ポンプシャフトおよび貯留カラーが、前記環状カラーおよび前記空気ピストンに適合して受け入れられる、液体ポンプと、を備えている、分岐された、すなわち分離された、泡ポンプアセンブリにおける改良。
【請求項２】
前記液体ポンプが、前記ポンプシャフトの周囲において、前記環状カラーの内面に係合して移動可能に密封する密封フランジをさらに備えている、請求項１に記載の泡ディスペンサーにおける改良。
【請求項３】
前記環状カラーが、前記ポンプシャフトの周囲に係合するリングシールをさらに備えている、請求項２に記載の泡ディスペンサーにおける改良。
【請求項４】
前記ポンプシャフトが中空であり、その壁を貫通する開口をさらに備えており、前記空気チャンバと前記中空シャフトの内側とを選択的に相互に連絡するように、前記ピストンの動きが、前記リングシールに関連して、選択的に前記開口を位置づける、請求項３に記載の泡ディスペンサーにおける改良。
【請求項５】
前記中空シャフトが、ボールバルブおよび台座をさらに備えている、請求項４に記載の泡ディスペンサーにおける改良。
【請求項６】
前記中空シャフトが、前記空気ピストンの一端における出口ノズルと並んでいる、その一端における泡生成部材を受け入れる、請求項５に記載の泡ディスペンサーにおける改良。
【請求項７】
前記ボールバルブが、前記泡生成部材によって、前記台座に付勢される、請求項６に記載の泡ディスペンサーにおける改良。
【請求項８】
前記泡生成部材が、スポンジ、スクリーン、メッシュおよび独立気泡発砲体の一群から選択される弾力性を有する部材である、請求項７に記載の泡ディスペンサーにおける改良。
【請求項９】
泡生成ディスペンサー用の液体容器において、
液体を受け入れる容積を画定しているカートリッジと、
前記カートリッジに密封的に取り付けられたカラーと、
前記カラーによって受け入れられるポンプシャフトであって、その周囲を円周状に延在する環状のシールを有しており、前記環状のシールが、前記ディスペンサーのハウジングに保持されるカラーの壁と係合することに適している、ポンプシャフトと、
前記ポンプシャフトの一端における泡生成要素と、を備えている、泡生成ディスペンサー用の液体容器。
【請求項１０】
前記ポンプシャフトが中空であり、その壁を貫通する開口を有している、請求項９に記載の泡生成ディスペンサー用の液体容器。
【請求項１１】
前記ポンプシャフトが、その中にボールバルブおよび台座をさらに備えている、請求項１０に記載の泡生成ディスペンサー用の液体容器。
【請求項１２】
前記泡生成部材が、前記台座に前記ボールバルブを付勢する、請求項１１に記載の泡生成ディスペンサー用の液体容器。
【請求項１３】
前記開口が、前記ボールバルブに並んでいる、請求項１２に記載の泡生成ディスペンサー用の液体容器。
【請求項１４】
前記泡生成要素が、スポンジ、独立気泡発砲体、スクリーン、およびメッシュの一群から選択される弾力性を有する要素である、請求項１３に記載の泡生成ディスペンサー用の液体容器。
【請求項１５】
空気チャンバを備えていない、請求項１１に記載の泡生成ディスペンサー用の液体容器。
【手続補正書】
【提出日】平成24年3月14日(2012.3.14)
【手続補正１】
【補正対象書類名】明細書
【補正対象項目名】０００２
【補正方法】変更
【補正の内容】
【０００２】
電気モーター、マイクロスイッチ、センサーなど、自動車用ドアロックの個々の構成要素への電気接続を提供するには、前記開口部を密閉して、前記ロックハウジングの外部領域で生じるいかなる水分も前記固定部分および／または前記電気接続部の反対側に侵入しないようにしなければならない。これを達成するため、すでに多種多様な措置が提案されているが、小型設計、簡易設置、廉価な生産、および／または永続的密閉に対する要求にはある程度しか対応がなされていない。
この出願の発明に関連する先行技術文献情報としては、以下のものがある（国際出願日以降国際段階で引用された文献及び他国に国内移行した際に引用された文献を含む）。
【先行技術文献】
【特許文献】
【手続補正２】
【補正対象書類名】明細書
【補正対象項目名】０００３
【補正方法】変更
【補正の内容】
【０００３】
【特許文献１】  独国実用新案第２０２００６００７２６３号明細書
【特許文献２】  仏国特許出願公開第２８０２１５３号明細書
【発明の概要】
【課題を解決するための手段】
【手続補正３】
【補正対象書類名】明細書
【補正対象項目名】０００４
【補正方法】変更
【補正の内容】
【０００４】
本発明の課題は、先行技術実施形態のこの問題を少なくとも部分的に解決することである。特に、組み立られる構成要素の製造公差が比較的高い場合にも防水シールをもたらす装置を提供することを目的としている。同時に、前記密閉（シール）構成要素は製造コストが低く、種々の作業条件下で設備可能であるべきである。  
これらの課題は、請求項１記載の特徴に基づいた装置により解決される。他の有利な実施形態については、後続の従属請求項で説明している。本発明に関する説明（特に図面を参照したもの）では、本発明を詳述し、さらに別の実施形態も例示している。
【手続補正書】
【提出日】平成23年12月20日(2011.12.20)
【手続補正１】
【補正対象書類名】特許請求の範囲
【補正対象項目名】全文
【補正方法】変更
【補正の内容】
【特許請求の範囲】
【請求項１】
噴霧乾燥遷移金属ゼオライト及び貴金属を含み、当該噴霧乾燥遷移金属ゼオライトが、遷移金属ゼオライト、及びその少なくとも５０重量％がチタニアであるバインダーを含む触媒。
【請求項２】
バインダーの少なくとも９５重量％がチタニアである、請求項１に記載の触媒。
【請求項３】
遷移金属ゼオライトがチタンゼオライトである、請求項１に記載の触媒。
【請求項４】
遷移金属ゼオライトがＴＳ−１である、請求項１に記載の触媒。
【請求項５】
貴金属が、金、銀、白金、パラジウム、イリジウム、ルテニウム、レニウム、ロジウム、オスミウム、及びこれらの混合物からなる群から選択される、請求項１に記載の触媒。
【請求項６】
貴金属が、パラジウム、金、及びこれらの混合物からなる群から選択される、請求項１に記載の触媒。
【請求項７】
貴金属がパラジウムである、請求項１に記載の触媒。
【請求項８】
２０〜８０μｍの平均質量径を有する、請求項１に記載の触媒。
【請求項９】
鉛、ビスマス、及びこれらの混合物からなる群から選択される促進剤を更に含む、請求項１に記載の触媒。
【請求項１０】
溶媒中、請求項１に記載の触媒の存在下において、オレフィン、水素、及び酸素を反応させることを含むエポキシ化方法。
【請求項１１】
バインダーの少なくとも９５重量％がチタニアである、請求項１０に記載の方法。
【請求項１２】
遷移金属ゼオライトがチタンゼオライトである、請求項１０に記載の方法。
【請求項１３】
遷移金属ゼオライトがＴＳ−１である、請求項１０に記載の方法。
【請求項１４】
貴金属が、パラジウム、金、及びこれらの混合物からなる群から選択される、請求項１０に記載の方法。
【請求項１５】
貴金属がパラジウムである、請求項１０に記載の方法。
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
下記式１０ａで表される、酸化窒素（ＮＯ）を放出する、生体適合性で、生分解性の重合体又は下記式１２ａで表される化合物を含む医療機器：
【化１】
2011514231.tif 000001
（式１０ａ中、ａは１〜２０，０００の整数であって、Ａ1〜Ａ4は個別に、水素、Ｃ1〜Ｃ6アルキル基、またはジアゼニウムジオレート基であり、Ａ1〜Ａ4のうち少なくとも１つはジアゼニウムジオレートでなければならない。）
【化２】
2011514231.tif 000002
（式１２ａ中、ａは１〜２０，０００の整数であって、Ａ1〜Ａ4は個別に、水素、Ｃ1〜Ｃ6アルキル基、またはジアゼニウムジオレート基であり、Ａ1〜Ａ4のうち少なくとも１つはジアゼニウムジオレートでなければならない。）
【請求項２】
前記生体適合性で、生分解性の重合体が、下記一般式９ａで表される化合物又は下記式１３ａで表される化合物を含む請求項１に記載の医療機器：
【化３】
2011514231.tif 000003
（式９ａ中、ａは１〜２０，０００の整数であって、ｂは１〜１００の整数であって、ａおよびｂの合計は少なくとも２であって、Ａ1〜Ａ6は個別に、水素、Ｃ1〜Ｃ6アルキル基、またはジアゼニウムジオレート基であり、Ａ1〜Ａ6のうち少なくとも１つはジアゼニウムジオレートでなければならない。）
【化４】
2011514231.tif 000004
（式１３ａ中、ａは１〜２０，０００の整数であって、ｂは１〜１００の整数であって、ａおよびｂの合計は少なくとも２であって、Ａ1〜Ａ6は個別に、水素、Ｃ1〜Ｃ6アルキル基、またはジアゼニウムジオレート基であり、Ａ1〜Ａ6のうち少なくとも１つはジアゼニウムジオレートでなければならない。）
【請求項３】
前記生体適合性で、生分解性の重合体が、下記一般式８ａで表される化合物又は下記式１１ａで表される化合物を含む請求項１に記載の医療機器：
【化５】
2011514231.tif 000005
（式８ａ中、ａは１〜２０，０００の整数であり；ｂは１〜１００の整数であり；ａおよびｂの合計は少なくとも２であり；Ａ1〜Ａ5は個別に、水素、Ｃ1〜Ｃ6アルキル基、またはジアゼニウムジオレート基であり、Ａ1〜Ａ5のうち少なくとも１つはジアゼニウムジオレートでなければならない。）
【化６】
2011514231.tif 000006
（式１１ａ中、ａは１〜２０，０００の整数であって、ｂは１〜１００の整数であって、ａおよびｂの合計は少なくとも２であって、Ａ1〜Ａ5は個別に、水素、Ｃ1〜Ｃ6アルキル基、またはジアゼニウムジオレート基であり、Ａ1〜Ａ5のうち少なくとも１つはジアゼニウムジオレートでなければならない。）
【請求項４】
前記生体適合性で、生分解性の重合体が、ナトリウム、カリウム、プロトン、およびリチウムから成る群から選択される対イオンによってさらに安定化されているジアゼニウムジオレート基を有する、請求項１に記載の重合体。
【請求項５】
前記医療機器が、移植可能であり、かつ、血管ステント、シャント、血管移植片、ステント移植片、心臓弁、カテーテル、ペースメーカー、ペースメーカーリード、胆管ステント、および除細動器から成る群から選択される、請求項１に記載の医療機器。
【請求項６】
前記重合体が、抗増殖剤、エストロゲン、シャペロン阻害剤、プロテアーゼ阻害剤、タンパク質チロシンキナーゼ阻害剤、レプトマイシンＢ、ペルオキシソーム増殖剤活性化受容体ガンマリガンド（ＰＰＡＲγ）、ハイポセマイシン、酸化窒素、ビスフォスフォネート、上皮成長因子阻害剤、抗体、プロテアソーム阻害剤、抗生物質、抗炎症剤、アンチセンスヌクレオチド、および形質転換核酸から成る群から選択される少なくとも１つの薬剤をさらに含む、請求項１に記載の医療機器。
【請求項７】
カルボニル基に隣接する炭素に結合した少なくとも１つのジアゼニウムジオレート基を有する、ＮＯを放出する、生体適合性で、生分解性の重合体を含む医療機器であって、前記生分解性の重合体がさらにゾタロリムスを含み、前記機器が血管ステントである、請求項１に記載の医療機器。
【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
白金族金属を基礎とする水素化触媒を再生する方法であって、
前記白金族触媒を基礎とする水素化触媒を、保護ガス雰囲気下で５０〜６００℃において熱的に再生することを特徴とする方法。
【請求項２】
前記白金族金属を基礎とする水素化触媒を、熱処理後に強酸で処理する請求項１に記載の白金族金属を基礎とする水素化触媒を再生する方法。
【請求項３】
請求項１又は２に記載の方法により再生した白金族金属を基礎とする水素化触媒を、無機又は有機化合物の水素化に使用する方法。
【請求項４】
無機化合物として一酸化窒素をヒドロキシアンモニウム塩に水素化する、請求項３に記載の再生した白金族金属を基礎とする水素化触媒の使用方法。
【請求項５】
有機化合物としてオレフィン性若しくはアセチレン性不飽和化合物又はカルボン酸、アルデヒド若しくはケトンを水素化する、請求項３に記載の再生した白金族金属を基礎とする水素化触媒の使用方法。
【手続補正書】
【提出日】平成24年3月1日(2012.3.1)
【手続補正１】
【補正対象書類名】特許請求の範囲
【補正対象項目名】全文
【補正方法】変更
【補正の内容】
【特許請求の範囲】
【請求項１】
近位側アクチュエータ部分と、
該近位側アクチュエータ部分から遠位側に延びておりかつ組織を穿刺する遠位側チップを備えた転移針と、
近位側アクチュエータ部分から遠位側に延びておりかつ組織を穿刺する遠位側チップを備えたキャッチ針と、
前記転移針内に配置された縫合糸針とを有し、該縫合糸針は、前記近位側アクチュエータ部分により操作されるときに、前記転移針から前記キャッチ針に向かって延びかつ該キャッチ針から前記転移針に向かって後退でき、
一定長さの縫合糸を保持するための、前記縫合糸針のフックと、
前記縫合糸針がキャッチ針から転移針に向かって引き戻されるときに、縫合糸をキャッチ針内に保持するための、キャッチ針のリテーナと、を有し、前記リテーナは前記キャッチ針内に配置されたプランジャを有し、該プランジャは、前記縫合糸針がキャッチ針から後退されるときに、縫合糸をキャッチ針内にクランプすることにより縫合糸を保持すべく、遠位側方向に延びることができ、
前記キャッチ針はこの側方に配置された第１窓とを更に有し、該第１窓を通って前記縫合糸針が伸長されまたは後退され、前記第１窓は前縁を有し、
第１窓が配置されている側とは反対側で前記キャッチ針に配置された第２窓を更に有し、縫合糸針がキャッチ針内に完全に進入するとき、縫合糸針の遠位端が前記第２窓を通って延び、前記第２窓は、前記第１窓の前縁の実質的に遠位側に配置された前縁を有することを特徴とする組織の一部の断裂を修復する器具。
【請求項２】
前記近位側アクチュエータ部分は縫合糸針前進レバーが配置されたハンドルを有し、前記縫合糸針は前記レバーが作動されまたは解放されると、前進されまたは後退されることを特徴とする請求項１記載の器具。
【請求項３】
前記転移針はこの側方に配置された窓を有し、該窓を通って前記縫合糸針が伸長されまたは後退されることを特徴とする請求項１記載の器具。
【請求項４】
前記フックは、縫合糸針がキャッチ針から転移針内に戻る方向に後退されるときには、縫合糸針に保持された縫合糸が解放されるように構成されていることを特徴とする請求項１記載の器具。
【請求項５】
前記縫合糸針は、転移針内に収容されるときは真直形状を達成しかつ縫合糸針の遠位端が転移針から出るときは該遠位端をキャッチ針の方向に向ける補助をする曲りが得られる充分なフレキシビリティを有することを特徴とする請求項１記載の器具。
【請求項６】
前記転移針は、縫合糸針が転移針からキャッチ針の方向に向かって延びるときに、縫合糸針をキャッチ針に向けて方向転換することを補助する方向転換カーブを有していることを特徴とする請求項５記載の器具。
【請求項７】
前記転移針内に配置された縫合糸リリーフスロットを更に有することを特徴とする請求項１記載の器具。
【請求項８】
器具により組織の断裂に通された縫合糸を固定するための、器具に沿って遠位側に移動可能な予め結ばれたノットと、
予め結ばれたノットを、修復すべき組織に固定するノットプッシャとを更に有し、該ノットプッシャは、その遠位端に設けられた、縫合糸孔を拡張しかつ前記予め結ばれたノットを前記孔内に遠位側に通すことを促進するための拡張チップを備えていることを特徴とする請求項１記載の器具。
【請求項９】
組織の一部の断裂を修復する器具において、
近位側のアクチュエータ部分と、
該近位側アクチュエータ部分から遠位側に延びておりかつ組織を穿刺する遠位側チップを備えた第１針と、
近位側アクチュエータ部分から遠位側に延びておりかつ組織を穿刺する遠位側チップを備えた第２針と、
前記第１針内に配置された縫合糸針とを有し、前記縫合糸針は、近位側のアクチュエータ部分を作動させたときに、前記第１針から前記第２針に向かって延びかつ前記第２針から前記第１針に向かって後退でき、
一定長さを保持するための、縫合糸のフックと、
前記縫合糸針が第２針から第１針に向かって引き戻されるときに、縫合糸を第２針内に保持するための、第２針のリテーナと、を更に有し、前記リテーナは前記第２針内に配置されたプランジャを有し、該プランジャは、前記第１針が第２針から後退されるときに、縫合糸を第２針内にクランプすることにより縫合糸を保持すべく、遠位側方向に延びることができ、それによって、一定長さの縫合糸を前記断裂に通して断裂を接近させかつ修復し、
器具により組織の断裂に通された縫合糸を固定するための、器具に沿って遠位側に移動可能な予め結ばれたノットと、
予め結ばれたノットを、修復すべき組織に固定するノットプッシャとを更に有し、該ノットプッシャは、その遠位端に設けられた、縫合糸孔を拡張しかつ前記予め結ばれたノットを前記孔内に遠位側に通すことを促進するための拡張チップを備えていることを特徴とする器具。
【請求項１０】
前記プランジャは、ばね負荷されており、前記縫合糸針および縫合糸が配置されて前記キャッチ針内に前進されるときに前記縫合糸針および縫合糸に衝突することを特徴とする請求項１記載の器具。
【手続補正書】
【提出日】平成24年1月10日(2012.1.10)
【手続補正１】
【補正対象書類名】特許請求の範囲
【補正対象項目名】全文
【補正方法】変更
【補正の内容】
【特許請求の範囲】
【請求項１】
人体組織を治療する外科的システムであって、
遠位切除先端、近位真空窓部、および、当該遠位切除先端と当該近位真空窓部との間に延在しこれら両方と流体連通する管腔を備える内側部材と、
切断窓部を形成する末端領域を備える外側部材と、
前記内側部材と前記外側部材とを保持し、これによって当該内側部材が当該外側部材の中に回転自在に受容される、前記切除先端が前記切断窓部で露出されている結合部であって、当該切除先端および前記末端領域は切除器材を規定するために結合する結合部と、
前記結合部の内部で一体化され、当該結合部の外部で露出される第１のポートと、前記近位真空窓部によって規定される第２のポートとの間の吸引制御経路を規定する吸引制御機構であって、当該第２のポートが前記内側部材の前記管腔を介して負圧源と接続可能である吸引制御機構と、を備える外科的切除器具を具備し、
前記吸引制御機構は、当該第１のポートの上の指を選択的に位置させることで、使用者に当該遠位切除先端に適用される真空レベルを制御させる、システム。
【請求項２】
請求項１に記載のシステムにおいて、
前記遠位切除先端は吸引出口を規定し、
前記システムは、前記負圧源が負圧を生成し、前記第１のポートに遮るものが全くない場合には、遠位切除先端に適用される真空レベルは実質的にゼロであるように構成される、システム。
【請求項３】
請求項１に記載のシステムにおいて、
前記結合部は、前記外側部材の近位端部に固定されるハブを備え、
前記ハブは、
前記内側部材が中に延在する管腔と、
前記ハブの外部の周囲に延在する第１の流体チャネルと、
前記ハブの中に規定され、当該ハブの前記管腔から近位に延在するチャンバであって、前記近位切断窓部を包み込む、大きさ、形状、位置にあるチャンバと、を備え、
前記第１のチャネルは前記チャンバと連通する孔部を備え、前記第１のポートは当該第１のチャネルと連通し、これによって前記流体制御経路は当該第１のポートから、当該第１のチャネルの当該孔部を通じ、当該チャンバを通じ、前記近位切断窓部の中に延在する、システム。
【請求項４】
請求項３に記載のシステムにおいて、
前記結合部は、外側殻体と、当該外側殻体の中に同軸上に配置された内側殻体と、を備え、
前記外側殻体は前記第１のポートを規定し、前記内側殻体は開口部を規定し、
前記第１のポートおよび前記開口部は前記吸引制御経路の一部を規定し、前記第１のチャネルと連通し、さらに前記ハブは前記内側殻体の中で同軸上に配置される、システム。
【請求項５】
請求項４に記載のシステムにおいて、
前記結合部は、前記チャンバの中で支持されて、前記内側部材に対して同軸上に配置されたスリーブを備え、
前記スリーブが、前記第１のポートと前記内側部材の前記近位真空窓部との間に介在し、これらと流体連通するシステム。
【請求項６】
請求項５に記載のシステムにおいて、
前記外側部材の前記近位端部は前記近位真空窓部および前記スリーブに対して遠位に位置するシステム。
【請求項７】
請求項５に記載のシステムにおいて、
前記スリーブは、遠位窓部領域、および管腔を規定する近位壁領域を備え、
さらに前記近位壁領域は前記内側部材の前記近位真空窓部と略同一平面にあり、前記遠位窓部領域は当該近位真空窓部の遠位に位置し、当該遠位窓部領域は当該近位真空窓部と前記チャンバとの両方と流体連通するシステム。
【請求項８】
請求項１に記載のシステムにおいて、
前記近位真空窓部は、略長方形を有する単一の孔部を備えるシステム。
【請求項９】
請求項１に記載のシステムにおいて、
前記近位真空窓部は、連続して配置された孔部のアレイを備えるシステム。
【請求項１０】
請求項１に記載のシステムにおいて、
前記近位真空窓部は、前記内側部材の周囲に螺旋パターンに配置された孔部のアレイを備えるシステム。
【請求項１１】
請求項１に記載のシステムにおいて、
ハンドピースは、前記吸引制御ポートを選択的に閉塞させるように構成された、当該ハンドピースの外部に配置された移動可能なカバーを備えるシステム。
【請求項１２】
脳腫瘍を創面切除するための外科的システムであって、
管腔を規定し、遠位切除先端と近位真空窓部とを備える内側部材であって、当該切除先端が当該管腔と連通する開口部を規定する、内側部材と、
切断窓部を形成する末端領域を備える外側部材であって、前記切除先端と当該末端領域とが結合されて、当該切除先端が当該切断窓部において露出されている切除器材を規定する、外側部材と、
前記内側部材と前記外側部材とを支持するハンドピースと、
当該ハンドピースを通じて延在する流体経路によって当該切除器材と流体接続する負圧源と、
当該遠位切除先端の当該開口部における吸引レベルを当該流体経路を通じて手動で制御するための、および当該外側部材の中に回転自在に受容するために当該内側部材を保持するための、当該ハンドピースと結合された手段と、を備える外科的切除器材を具備し、
手動で制御するための当該手段は当該近位真空窓部を介して当該流体経路と流体接続し、当該切除器材に適用される真空レベルを使用者が制御するために、周囲の環境に開放されているユーザーインターフェースポートを備える、システム。
【請求項１３】
請求項１２に記載のシステムにおいて、
前記負圧源が負圧を生成し、前記ユーザーインターフェースポートの外部に遮るものがない場合には、前記切除器材に適用される真空レベルは実質的にゼロであるように構成される、システム。
【請求項１４】
請求項１３に記載のシステムにおいて、
前記ハンドピースは、前記外側部材に対して前記内側部材を動かすための、前記内側部材に接続されているモーターを備える、システム。
【請求項１５】
請求項１２に記載のシステムにおいて、
手動で制御する前記手段は前記ハンドピースの遠位延長部を形成する結合部を規定し、当該結合部は当該結合部の内部に単独で具備される流体制御経路を規定する、システム。
【請求項１６】
請求項１５に記載のシステムにおいて、
前記結合部は、前記近位真空窓部を包み込むチャンバを規定するハブを備え、当該チャンバは前記ユーザーインターフェースポートと流体連通し、
当該ハブは前記外側部材の近位端部と固定するように構成される管腔も規定し、当該チャンバと連通する当該管腔は当該チャンバを介して前記内側部材を延在させる、システム。
【手続補正書】
【提出日】平成24年3月14日(2012.3.14)
【手続補正１】
【補正対象書類名】特許請求の範囲
【補正対象項目名】全文
【補正方法】変更
【補正の内容】
【特許請求の範囲】
【請求項１】
歯科用補綴物を支持するための歯科用インプラントであって、このインプラントが：
外部表面、遠位端、及び近位部分を含む本体；
本体の外部表面の少なくともねじ山部分に設けられた少なくとも一つのねじ山であって、近位フランクと遠位フランクを含み、さらに近位フランクと遠位フランクとの間に延びる面を含むねじ山；及び
歯科用インプラントの近位部分のカラーであって、第一ピーク、第一ピークに略対向した第二ピーク、第一ピークと第二ピークの間の第一谷、及び第一ピークと第二ピークの間のかつ第一谷に略対向した第二谷を含むカラー；
を含み、
第一谷の最遠位点が第二谷の最遠位点より近位にあることを特徴とする歯科用インプラント。
【請求項２】
第一谷と第一ピークの間の湾曲表面が凸状形状をしていることを特徴とする請求項１に記載の歯科用インプラント。
【請求項３】
第二谷と第一ピークの間の湾曲表面が凹状形状をしていることを特徴とする請求項２に記載の歯科用インプラント。
【請求項４】
本体の外部表面上に形成されかつ遠位フランクと近位フランクの間に設けられた螺旋溝をさらに含むことを特徴とする請求項１に記載の歯科用インプラント。
【請求項５】
螺旋パターンを持つ第一溝を含み、この第一溝がねじ山の遠位フランクの少なくとも一部分の上に形成されていることを特徴とする請求項１に記載の歯科用インプラント。
【請求項６】
本体の近位部分に少なくとも部分的に設けられた空洞をさらに含み、この空洞が、歯科用インプラントの近位端に向けて開放されかつアバットメントを取付けるように構成されていることを特徴とする請求項１に記載の歯科用インプラント。
【請求項７】
空洞が、インプラントの上部表面から延びる実質的に円錐形の部分を形成するように内向きに先細りとなる少なくとも一つの表面を含むことを特徴とする請求項６に記載の歯科用インプラント。
【請求項８】
実質的に円錐形の部分が、インプラントの縦軸に対して約１０度〜約２０度の円錐半角を規定することを特徴とする請求項７に記載の歯科用インプラント。
【請求項９】
実質的に円錐形の部分が、インプラントの縦軸に対して約１２度の円錐半角を規定することを特徴とする請求項７に記載の歯科用インプラント。
【請求項１０】
実質的に円錐形の部分が、縦軸に沿った方向に上部表面から測定して少なくとも約１ｍｍに等しいかまたはそれより大きい長さを持つことを特徴とする請求項７に記載の歯科用インプラント。
【請求項１１】
実質的に円錐形の部分の下に配置された少なくとも一つの平坦側面を含むインターロック凹所をさらに含むことを特徴とする請求項７に記載の歯科用インプラント。
【請求項１２】
円錐形の部分の長さとインターロック部分の長さの比が約１：１であることを特徴とする請求項１１に記載の歯科用インプラント。
【請求項１３】
実質的に円錐形の部分に対して遠位に配置された少なくとも一つの回転防止機能を含むインターロック凹所、及びインターロック凹所の下に配置されたねじ山を含むねじ山部分をさらに含むことを特徴とする請求項７に記載の歯科用インプラント。
【請求項１４】
カラー上の複数の実質的に水平に延びる溝をさらに含むことを特徴とする請求項１に記載の歯科用インプラント。
【請求項１５】
歯科用補綴物のためのアバットメントであって、このアバットメントが：
遠位端、近位部分、及び遠位端と近位部分の間に延びる長い本体を含み、この長い本体が近位部分、遠位部分、遠位端のインターロック部分、及び近位部分と遠位部分の間の移行表面を含み；
移行表面が第一移行ピーク、第一移行ピークに略対向した第二移行ピーク、第一移行ピークと第二移行ピークの間の第一移行谷、及び第一移行ピークと第二移行ピークの間のかつ第一移行谷に略対向した第二移行谷を規定し；
第一移行谷が第二移行谷の最遠位点より近位にある最遠位点を持つことを特徴とするアバットメント。
【請求項１６】
第一移行谷と第一移行ピークの間の移行表面が凸状形状をしていることを特徴とする請求項１５に記載のアバットメント。
【請求項１７】
第二移行谷と第一移行ピークの間の移行表面が凹状形状をしていることを特徴とする請求項１５に記載のアバットメント。
【請求項１８】
インターロック部分に対して近位に配置された円錐形の部分をさらに含むことを特徴とする請求項１５に記載のアバットメント。
【請求項１９】
歯を置換するためのシステムであって、このシステムが：
外部表面、遠位端、及び近位部分を含む本体を持つ歯科用インプラントであって、本体の外部表面の少なくともねじ山部分に設けられた少なくとも一つのねじ山であって、近位フランクと遠位フランクを含み、さらに近位フランクと遠位フランクとの間に延びる面を含むねじ山；及び歯科用インプラントの近位部分のカラーであって、第一ピーク、第一ピークに略対向した第二ピーク、第一ピークと第二ピークの間の第一谷、及び第一ピークと第二ピークの間のかつ第一谷に略対向した第二谷を含むカラー；を含み、第一谷が第二谷の最遠位点より近位にある最遠位点を持つ、歯科用インプラント；及び
歯科用インプラントに結合されるように構成されたアバットメントであって、このアバットメントは遠位端、近位部分、及び遠位端と近位部分の間に延びる長い本体を持ち、この長い本体が近位部分、遠位部分、遠位端のインターロック部分、及び近位部分と遠位部分の間の移行表面を含み；移行表面が第一移行ピーク、第一移行ピークに略対向した第二移行ピーク、第一移行ピークと第二移行ピークの間の第一移行谷、及び第一移行ピークと第二移行ピークの間のかつ第一移行谷に略対向した第二移行谷を規定し；第一移行谷が第二移行谷の最遠位点より近位にある最遠位点を持つ、アバットメント
を含むことを特徴とするシステム。
【手続補正書】
【提出日】平成24年2月17日(2012.2.17)
【手続補正１】
【補正対象書類名】明細書
【補正対象項目名】００２０
【補正方法】変更
【補正の内容】
【００２０】
特に記載のない限り、本明細書で使用されている技術用語および科学用語の全ては、本発明が属する分野の当業者によって一般に理解される意味と同じ意味を有する。本明細書に記載したものと類似のまたは同等の方法および物質を、本発明の実施または試験において使用できるが、適当な方法および物質は以下に記載する。物質、方法および実施例は、例示にすぎず、限定を意図するものではない。
本発明の好ましい態様は、以下を包含する。
〔１〕（ａ）融合助剤キャリヤーおよび
（ｂ）１種以上の消泡剤活性成分
を含んでなる水性組成物用消泡融合助剤。
〔２〕融合助剤キャリヤーが脂肪酸エステルを含んでなる、上記〔１〕に記載の消泡融合助剤。
〔３〕融合助剤キャリヤーが炭素数約６〜約３６個の脂肪酸のプロピレングリコールモノエステルを含んでなる、上記〔１〕に記載の消泡融合助剤。
〔４〕融合助剤キャリヤーが炭素数約８〜約２２個の脂肪酸のプロピレングリコールモノエステルを含んでなる、上記〔１〕に記載の消泡融合助剤。
〔５〕脂肪酸が炭素数１８個の脂肪酸を含んでなる、上記〔４〕に記載の消泡融合助剤。
〔６〕融合助剤キャリヤーが脂肪酸メチルエステルを含んでなる、上記〔１〕に記載の消泡融合助剤。
〔７〕融合助剤キャリヤーが炭素数約６〜３６個の脂肪酸メチルエステルを含んでなる、上記〔１〕に記載の消泡融合助剤。
〔８〕融合助剤キャリヤーが炭素数約８〜２２個の脂肪酸メチルエステルを含んでなる、上記〔１〕に記載の消泡融合助剤。
〔９〕融合助剤キャリヤーが炭素数約１２〜１４個の脂肪酸メチルエステルを含んでなる、上記〔１〕に記載の消泡融合助剤。
〔１０〕融合助剤キャリヤーが、石油化学系であり、石油化学系エーテル、石油化学系エーテルエステル、石油化学系エステルおよびそれらの混合物からなる群から選択される、上記〔１〕に記載の消泡融合助剤。
〔１１〕石油化学系融合助剤キャリヤーを１種以上の脂肪酸エステルと組み合わせる、上記〔１０〕に記載の消泡融合助剤。
〔１２〕石油化学系融合助剤キャリヤーが、グリコールエーテル、グリコールエーテルエステル、安息香酸エステル、酪酸エステルおよびそれらの混合物からなる群から選択される、上記〔１０〕に記載の消泡融合助剤。
〔１３〕石油化学系融合助剤キャリヤーを１種以上の脂肪酸エステルと組み合わせる、上記〔１２〕に記載の消泡融合助剤。
〔１４〕消泡剤活性成分が、疎水化シリカ、ポリエチレンワックス、ポリアミドワックス、シリコーン油、変性シリコーン油およびそれらの混合物からなる群から選択される、上記〔１〕に記載の消泡融合助剤。
〔１５〕消泡剤活性成分が分岐コポリマーおよび／またはブロックコポリマーを含んでなる、上記〔１〕に記載の消泡融合助剤。
〔１６〕融合助剤キャリヤーが約５０〜９９．９重量％の量で存在し、１種以上の消泡剤活性成分が約０．１〜５０重量％の量で存在する、上記〔１〕に記載の消泡融合助剤。
〔１７〕ポリマーラテックス系組成物またはポリマー分散体系組成物に配合される、上記〔１〕に記載の消泡融合助剤。
〔１８〕（ａ）融合助剤キャリヤーを供給する工程、
（ｂ）１種以上の消泡剤活性成分を供給する工程、および
（ｃ）（ａ）のキャリヤーと（ｂ）の成分を混合する工程
を含む、消泡融合助剤の製造方法。
〔１９〕（ａ）ポリマーラテックスまたはポリマー分散体、並びに
（ｂ）（ｉ）融合助剤キャリヤーおよび
（ｉｉ）１種以上の消泡剤活性成分
を含んでなる消泡融合助剤
を含んでなる、水性組成物。
【手続補正２】
【補正対象書類名】特許請求の範囲
【補正対象項目名】全文
【補正方法】変更
【補正の内容】
【特許請求の範囲】
【請求項１】
（ａ）融合助剤キャリヤーおよび
（ｂ）１種以上の消泡剤活性成分
を含んでなる水性組成物用消泡融合助剤。
【請求項２】
融合助剤キャリヤーが脂肪酸エステルを含んでなる、請求項１に記載の消泡融合助剤。
【請求項３】
融合助剤キャリヤーが炭素数約８〜約２２個の脂肪酸のプロピレングリコールモノエステルを含んでなる、請求項１に記載の消泡融合助剤。
【請求項４】
融合助剤キャリヤーが脂肪酸メチルエステルを含んでなる、請求項１に記載の消泡融合助剤。
【請求項５】
融合助剤キャリヤーが炭素数約１２〜１４個の脂肪酸メチルエステルを含んでなる、請求項１に記載の消泡融合助剤。
【請求項６】
融合助剤キャリヤーが、石油化学系であり、石油化学系エーテル、石油化学系エーテルエステル、石油化学系エステルおよびそれらの混合物からなる群から選択される、請求項１に記載の消泡融合助剤。
【請求項７】
石油化学系融合助剤キャリヤーを１種以上の脂肪酸エステルと組み合わせる、請求項６に記載の消泡融合助剤。
【請求項８】
石油化学系融合助剤キャリヤーが、グリコールエーテル、グリコールエーテルエステル、安息香酸エステル、酪酸エステルおよびそれらの混合物からなる群から選択される、請求項６に記載の消泡融合助剤。
【請求項９】
石油化学系融合助剤キャリヤーを１種以上の脂肪酸エステルと組み合わせる、請求項８に記載の消泡融合助剤。
【請求項１０】
消泡剤活性成分が、疎水化シリカ、ポリエチレンワックス、ポリアミドワックス、シリコーン油、変性シリコーン油およびそれらの混合物からなる群から選択される、請求項１に記載の消泡融合助剤。
【請求項１１】
消泡剤活性成分が分岐コポリマーおよび／またはブロックコポリマーを含んでなる、請求項１に記載の消泡融合助剤。
【請求項１２】
融合助剤キャリヤーが約５０〜９９．９重量％の量で存在し、１種以上の消泡剤活性成分が約０．１〜５０重量％の量で存在する、請求項１に記載の消泡融合助剤。
【請求項１３】
ポリマーラテックス系組成物またはポリマー分散体系組成物に配合される、請求項１に記載の消泡融合助剤。
【請求項１４】
（ａ）融合助剤キャリヤーを供給する工程、
（ｂ）１種以上の消泡剤活性成分を供給する工程、および
（ｃ）（ａ）のキャリヤーと（ｂ）の成分を混合する工程
を含む、消泡融合助剤の製造方法。
【請求項１５】
（ａ）ポリマーラテックスまたはポリマー分散体、並びに
（ｂ）（ｉ）融合助剤キャリヤーおよび
（ｉｉ）１種以上の消泡剤活性成分
を含んでなる消泡融合助剤
を含んでなる、水性組成物。
【手続補正書】
【提出日】平成24年3月12日(2012.3.12)
【手続補正１】
【補正対象書類名】特許請求の範囲
【補正対象項目名】全文
【補正方法】変更
【補正の内容】
【特許請求の範囲】
【請求項１】
骨を治療するための拡張可能なインプラントを形成するキットであって、このキットが、
コア要素であって、長手軸線を有している上記コア要素と、
複数のスリーブであって、コア要素を中心として放射状に配置され、複数のスリーブはコア要素のまわりに逐次的に挿入可能であり、第１のスリーブはコア要素のまわりに挿入され、それぞれの逐次的に挿入されるスリーブは、コア要素と既に挿入されたスリーブとの間に受け入れられ、それぞれの追加的なスリーブの挿入によって、それぞれの既に挿入されたスリーブを外方向へ拡張させる、上記複数のスリーブと、を備え、
コア要素とスリーブとは、実質的に同一の長さにて供給される、
を特徴とするキット。
【請求項２】
コア要素は、実質的に円筒形の形状になっていることを特徴とする請求項１に記載のキット。
【請求項３】
スリーブは、中空管であることを特徴とする請求項１に記載のキット。
【請求項４】
前記キットがさらに、拡張可能な膜を備え、拡張可能なスリーブに対して放射方向の圧縮を提供することを特徴とする請求項３に記載のキット。
【請求項５】
スリーブは、リブとスペーサとを備えていることを特徴とする請求項１に記載のキット。
【請求項６】
スリーブは、拡張可能であることを特徴とする請求項１に記載のキット。
【請求項７】
スリーブは、リブとスペーサとを備え、リブとスペーサとは、スリーブの全周を中心として配置されていないことを特徴とする請求項６に記載のキット。
【請求項８】
スリーブは、単一部品の一体的ユニットであって、リブとスペーサとの間に可撓性の支柱を備えて形成されていることを特徴とする請求項５に記載のキット。
【請求項９】
スリーブは、拡張可能な状態を有し、少なくとも１つの平坦面又は側面を形成することを特徴とする請求項１に記載のキット。
【請求項１０】
スリーブは、円筒形に設けられ、非円筒形の形状から拡張可能になっていることを特徴とする請求項１に記載のキット。
【請求項１１】
（削除）
【請求項１２】
スリーブとコア要素とは、突起部及び凹部とのうち少なくとも１つを有し、スリーブがそれぞれにコア要素と嵌合することを特徴とする請求項１に記載のキット。
【請求項１３】
骨を治療するシステムであって、このシステムが、
コア要素であって、長さと、近位端と、遠位端と、長手軸線と、近位端に設けられた、器具に係合するための特徴と、を有している上記コア要素と、
挿入器具であって、カニューレバレルと、カニューレバレルの内部に配置されたロッド要素とを備え、ロッド要素はさらに、遠位端にコア要素係合特徴を具備している、上記挿入器具と、
複数の拡張可能及び入子可能なスリーブ要素であって、複数のスリーブ要素は、端部と端部とを突き合わせにした態様にて、ロッド要素に沿って、カニューレバレルの内部に配置されるように構成されて適合している、上記スリーブ要素と、を備え、
コア要素の近位端における器具係合特徴は、ロッド要素の遠位端におけるコア要素係合特徴と係合可能になっており、
拡張可能なスリーブ要素は、カニューレバレルの中から、ロッド要素に沿って、コア要素のまわりを前進可能になっており、
少なくとも１つの追加的拡張可能なスリーブ要素を前進させ、カニューレバレルの中から、ロッド要素に沿って、及びコア要素と既に挿入された拡張可能なスリーブ要素との間に前進させることで、既に挿入されたスリーブ要素の放射方向の拡張を引き起こし、それぞれの追加的なスリーブ要素がコア要素を中心として適用されると共に、インプラントの半径が拡張する、
ことを特徴とするシステム。
【請求項１４】
スリーブ要素は、端部と端部とを突き合わせた態様にて、ロッド要素に沿って、カニューレバレルの内部に事前装填されていることを特徴とする請求項１３に記載のシステム。
【請求項１５】
スリーブ要素は、拡張可能な状態と拡張不能な状態とを有し、拡張不能な状態においては、スリーブ要素は、実質的に円筒形の形状であり、拡張可能な状態においては、スリーブは、非円筒形の形状になっていることを特徴とする請求項１４に記載のシステム。
【請求項１６】
スリーブ要素は、リブとスペーサとを備えていることを特徴とする請求項１５に記載のシステム。
【請求項１７】
スリーブ要素は、単一部品の一体的ユニットであって、リブ及びスペーサを結合する可撓性支柱を備えていることを特徴とする請求項１６に記載のシステム。
【請求項１８】
リブとスペーサとは、少なくとも１つの弾性膜によって結合されていることを特徴とする請求項１５に記載のシステム。
【請求項１９】
スリーブ要素は、スリーブ要素が互いの上に積み重ねられたとき、互いに嵌合できることを特徴とする請求項１３に記載のシステム。
【請求項２０】
スリーブ要素は、凹部と突起部とを備え、他のスリーブ要素又はコア要素の凹部及び突起部に対して嵌合することを特徴とする請求項１９に記載のシステム。
【請求項２１】
コア要素は、およそ４mmからおよそ８mmの直径と、およそ１．５cmからおよそ２．５cmの長さとを有し、スリーブ要素は、およそ４mmからおよそ８mmの内径と、およそ１．５cmからおよそ２．５cmの長さと、およそ１mmからおよそ２mmの厚みとを有していることを特徴とする請求項１３に記載のシステム。
【請求項２２】
スリーブ要素は、コア要素に比べてわずかに小さい内径を有し、コア要素長さに比べて短い長さを有していることを特徴とする請求項２１に記載のシステム。
【請求項２３】
前記システムがさらに、コア要素に取付可能なキャップを備えていることを特徴とする請求項１３に記載のシステム。
【請求項２４】
コア要素は、内部凹部を有し、端部キャップは突起部を有し、これが内部凹部の中に嵌合することを特徴とする請求項２３に記載のシステム。
【請求項２５】
骨を治療するための拡張可能なインプラントであって、このインプラントが、
コア要素であって、長手軸線を有している上記コア要素と、
複数の入子式スリーブであって、コア要素を中心として放射方向に配置され、スリーブは、それに隣接するスリーブから放射方向外方に配置され、隣接するスリーブに比べて大きく延び、隣接するスリーブに対してインターロックして、段差状に増加する拡張可能なインプラントを形成する、上記入子式スリーブと、を備え、
インプラントは、コア要素のまわりに既に配置されたスリーブの下にスリーブを逐次的に挿入することで形成され、インプラントは、それぞれの追加的なスリーブとして拡張して、コア要素のまわりで適用され、スリーブとコア要素とは、少なくとも１つの突起部及び凹部を有し、スリーブは互いに及びコア要素と嵌合する、
を特徴とする拡張可能なインプラント。